(57)【要約】  本発明のプラズマディスプレイパネルの駆動方法は、全セル初期化動作を少なくとも１回行う全セル初期化フィールドと、前記全セル初期化動作を行わず選択初期化動作のみで構成された選択初期化フィールドを１：Ｎ（但し、Ｎは１以上の整数とする）の比率で備え、前記選択初期化フィールドの少なくとも１つのサブフィールド（第１ＳＦ）における走査パルスの幅（ＴＷ２）を、前記全セル初期化フィールドにおける走査パルスの幅（ＴＷ１）よりも延伸されたものとすることにより、コントラスト比を向上させるとともに、前記選択初期化フィールドにおける書き込み放電を安定化させる。
2009101784.tif 000002
【特許請求の範囲】
【請求項１】
走査電極および維持電極とデータ電極との交差部に放電セルを形成したプラズマディスプレイパネルの駆動方法であって、
１フィールド期間は、前記放電セルに初期化放電を発生させる初期化期間と、前記放電セルに書込み放電を発生させるために前記走査電極に走査パルスを印加する書込み期間と、前記放電セルに所定の輝度重みで発光させるための維持放電を発生させる維持期間とをそれぞれ有する複数のサブフィールドから構成され、
前記複数のサブフィールドのそれぞれの初期化期間は、画像表示を行う全ての放電セルに対して初期化放電を発生させる全セル初期化動作、または直前のサブフィールドにおいて維持放電を発生した放電セルに対して選択的に初期化放電を発生させる選択初期化動作のいずれかの動作を行い、
前記全セル初期化動作を有するサブフィールドを少なくとも１つ有するフィールドを全セル初期化フィールドとし、前記選択初期化動作のサブフィールドのみで構成されたフィールドを選択初期化フィールドとし、
前記全セル初期化フィールドと前記選択初期化フィールドを１：Ｎ（但し、Ｎは１以上の整数とする）の比率で備えるとともに、少なくとも１つのサブフィールドにおいて、前記Ｎに応じて前記選択初期化フィールドの前記走査パルスの幅を延伸するプラズマディスプレイパネルの駆動方法。
【請求項２】
パネル温度を検出し、
前記Ｎを検出された前記パネル温度に応じて設定する
請求項１記載のプラズマディスプレイパネルの駆動方法。
【請求項３】
表示すべき画像のＡＰＬ（平均輝度レベル）を検出し、
前記Ｎを検出された前記ＡＰＬに応じて設定する
請求項１記載のプラズマディスプレイパネルの駆動方法。
【請求項４】
前記Ｎは１である請求項１記載のプラズマディスプレイパネルの駆動方法。
【請求項５】
前記全セル初期化フィールドにおいて全セル初期化動作を行うサブフィールドが、全サブフィールドの中で１つのサブフィールドのみである請求項１から請求項３のいずれか１つに記載のプラズマディスプレイパネルの駆動方法。
【請求項６】
前記全セル初期化フィールドにおいて全セル初期化動作を行うサブフィールドが、全サブフィールドの中で維持期間の輝度重みが最小となるサブフィールドのみである請求項１から請求項３のいずれか１つに記載のプラズマディスプレイパネルの駆動方法。
【請求項７】
走査電極および維持電極とデータ電極との交差部に放電セルを形成したプラズマディスプレイパネルの表示装置であって、
１フィールド期間は、前記放電セルに初期化放電を発生させる初期化期間と、前記放電セルに書込み放電を発生させるために前記走査電極に走査パルスを印加する書込み期間と、前記放電セルに所定の輝度重みで発光させるための維持放電を発生させる維持期間とをそれぞれ有する複数のサブフィールドから構成され、
前記複数のサブフィールドのそれぞれの初期化期間は、画像表示を行う全ての放電セルに対して初期化放電を発生させる全セル初期化動作、または直前のサブフィールドにおいて維持放電を発生した放電セルに対して選択的に初期化放電を発生させる選択初期化動作のいずれかの動作を行い、
前記全セル初期化動作を有するサブフィールドを少なくとも１つ有するフィールドを全セル初期化フィールドとし、前記選択初期化動作のサブフィールドのみで構成されたフィールドを選択初期化フィールドとし、
前記全セル初期化フィールドと前記選択初期化フィールドを１：Ｎ（但し、Ｎは１以上の整数とする）の比率で備えるとともに、少なくとも１つのサブフィールドにおいて、前記Ｎに応じて前記選択初期化フィールドにおける前記走査パルス幅を延伸するプラズマディスプレイ装置。
【発明の詳細な説明】
【技術分野】
【０００１】
本発明は、プラズマティスプレイパネル装置とその駆動方法に関する。
【背景技術】
【０００２】
プラズマディスプレイパネル（以下、「パネル」と略記する）として代表的な交流面放電型パネルは、対向配置された前面板と背面板との間に多数の放電セルを備える。【０００３】
前面板は、前面ガラス基板、複数の表示電極、誘電体層および保護層により構成される。各表示電極は、一対の走査電極および維持電極からなる。複数の表示電極は、前面ガラス基板上に互いに平行に形成され、それらの表示電極を覆うように誘電体層および保護層が形成されている。【０００４】
背面板は、背面ガラス基板、複数のデータ電極、誘電体層、複数の隔壁および蛍光体層により構成される。背面ガラス基板上に複数のデータ電極が平行に形成され、それらを覆うように誘電体層が形成されている。その誘電体層上にデータ電極と平行に複数の隔壁がそれぞれ形成され、誘電体層の表面と隔壁の側面とにＲ（赤）、Ｇ（緑）およびＢ（青）の蛍光体層が形成されている。【０００５】
そして、表示電極とデータ電極とが立体交差するように前面板と背面板とが対向配置されて密封され、内部の放電空間には放電ガスが封入されている。表示電極とデータ電極とが対向する部分に放電セルが形成される。【０００６】
このような構成を有するパネルにおいて、各放電セル内でガス放電により紫外線が発生し、その紫外線でＲ、ＧおよびＢの蛍光体が励起されて発光する。それにより、カラー表示が行われる。なお、パネル上の１画素は、Ｒ、ＧおよびＢの蛍光体をそれぞれ含む３つの放電セルにより構成される。【０００７】
パネルを駆動する方法としてはサブフィールド法が用いられている。サブフィールド法では、１フィールド期間が複数のサブフィールド（以下、「サブフィールド」と略記する）に分割され、それぞれのサブフィールドで各放電セルを発光または非発光させることにより階調表示が行われる。【０００８】
以下にサブフィールド法について簡単に説明する。各サブフィールドはそれぞれ初期化期間、書込み期間および維持期間を有する。まず、初期化期間では、全ての放電セルで一斉に初期化放電が行われ、それ以前の個々の放電セルに対する壁電荷の履歴が消去されるとともに、続く書込み動作のために必要な壁電荷が形成される。加えて、初期化期間では、放電遅れを小さくし書込み放電を安定して発生させるためのプライミング（放電のための起爆剤＝励起粒子）を発生させるという働きがある。続く書込み期間では、走査電極に順次走査パルスが印加されるとともに、データ電極には表示すべき画像信号に対応した書込みパルスが印加され、走査電極とデータ電極との間で選択的に書込み放電が起きて、選択的な壁電荷の形成が行なわれる。そして維持期間では、走査電極と維持電極との間に輝度重みに応じた所定の回数の維持パルスが印加され、書込み放電による壁電荷形成が行われた放電セルが選択に放電し発光する。【０００９】
また、サブフィールド法の中でも、初期化期間に、全セル初期化動作または選択初期化動作のいずれかの動作を行うことにより、階調表示に関係しない発光を極力減らし、コントラスト比を向上した新規な駆動方法が特開２０００−２４２２２４号公報（以下、特許文献１と記す）に開示されている。全セル初期化動作は、画像表示を行う全ての放電セルに対して初期化放電を行わせるセル初期化動作である。また、選択初期化動作は、直前のサブフィールドにおいて維持放電を行った放電セルに対して選択的に初期化放電を行わせる初期化動作である。【００１０】
ところで、パネルの一部または全体に黒を表示する場合には、黒を表示する画素を構成する放電セルが１フィールド期間に亘って非発光状態にされる。以下、非発光状態となる放電セルを非発光放電セルと呼ぶ。【００１１】
この場合、書込み期間において、走査電極には走査パルスが順次印加されるが、データ電極には非発光放電セルに対応する書込みパルスが印加されない。それにより、非発光放電セルでは書込み放電が発生しないので、続く維持期間においても非発光放電セルでは維持放電が発生しない。このようにして、パネルの一部または全体に黒が表示される。【００１２】
ここで、画像のコントラストを向上させるために、パネルの一部または全体に表示される黒の輝度をできる限り低くすることが望まれている。しかしながら、（特許文献１）のような駆動方法においても、全セル初期化動作時には、すべての放電セルにおいて微弱放電が発生するため、黒を表示する画素の発光輝度は完全には「０」とならない。その結果、パネルに表示される黒の輝度を十分に低下させることはできない。【００１３】
また、この課題を解決する方法として、本発明者は、全セル初期化動作を有するフィールド（以下、「全セル初期化フィールド」と略記する）と、全セル初期化動作を１つも有さず選択初期化動作のみで構成されたフィールド（以下、「選択初期化フィールド」と略記する）とを、特定の割合で備える駆動方法を試みた。しかし、放電によって生じるプライミングは時間の経過とともに急速に減少するため、このような駆動方法においては、選択初期化フィールドにおいて、全セル初期化動作がないことでプライミングが不足する。そうして、走査電極に走査パルスを印加し、データ電極に書込みパルスが加わってから放電が起こるまでの時間（以下、放電遅れと略記）が大きくなるサブフィールドが発生する。その結果、走査電極に走査パルスを印加している時間（以下、走査パルス幅と呼ぶ）以内で放電を起こすことができず、書き込み不良を起こし不灯が発生するなどの問題がある。
【特許文献１】特開２０００−２４２２２４号公報
【発明の開示】
【００１４】
本発明は、これらの課題に鑑み、特定の割合で設けた選択初期化フィールドの書込み期間における選択的な書込み放電を安定化させることによって、放電セルの不灯をなくし、コントラスト比が高く、良好な品質で画像表示させることができるパネルの駆動方法を提供する。
【００１５】
プラズマディスプレイパネルの駆動方法は、走査電極および維持電極とデータ電極との交差部に放電セルを形成したプラズマディスプレイパネルの駆動方法である。１フィールド期間は、放電セルに初期化放電を発生させる初期化期間と、放電セルに書込み放電を発生させるために走査電極に走査パルスを印加する書込み期間と、放電セルに所定の輝度重みで発光させるための維持放電を発生させる維持期間とをそれぞれ有する複数のサブフィールドから構成される。複数のサブフィールドのそれぞれの初期化期間は、画像表示を行う全ての放電セルに対して初期化放電を発生させる全セル初期化動作、または直前のサブフィールドにおいて維持放電を発生した放電セルに対して選択的に初期化放電を発生させる選択初期化動作のいずれかの動作を行う。全セル初期化動作を有するサブフィールドを少なくとも１つ有するフィールドを全セル初期化フィールドとし、選択初期化動作のサブフィールドのみで構成されたフィールドを選択初期化フィールドとし、全セル初期化フィールドと選択初期化フィールドを１：Ｎ（但し、Ｎは１以上の整数とする）の比率で備えるとともに、少なくとも１つのサブフィールドにおいて、Ｎに応じて選択初期化フィールドの走査パルスの幅を延伸する。
【００１６】
プラズマディスプレイ装置は、走査電極および維持電極とデータ電極との交差部に放電セルを形成したプラズマディスプレイパネルの表示装置である。１フィールド期間は、放電セルに初期化放電を発生させる初期化期間と、放電セルに書込み放電を発生させるために走査電極に走査パルスを印加する書込み期間と、放電セルに所定の輝度重みで発光させるための維持放電を発生させる維持期間とをそれぞれ有する複数のサブフィールドから構成される。複数のサブフィールドのそれぞれの初期化期間は、画像表示を行う全ての放電セルに対して初期化放電を発生させる全セル初期化動作、または直前のサブフィールドにおいて維持放電を発生した放電セルに対して選択的に初期化放電を発生させる選択初期化動作のいずれかの動作を行う。全セル初期化動作を有するサブフィールドを少なくとも１つ有するフィールドを全セル初期化フィールドとし、選択初期化動作のサブフィールドのみで構成されたフィールドを選択初期化フィールドとし、全セル初期化フィールドと選択初期化フィールドを１：Ｎ（但し、Ｎは１以上の整数とする）の比率で備えるとともに、少なくとも１つのサブフィールドにおいて、Ｎに応じて前記選択初期化フィールドにおける走査パルス幅を延伸する。
【図面の簡単な説明】
【００１７】
【図１】図１は、本発明の実施の形態１から３に用いるプラズマディスプレイ装置のパネルの要部を示す斜視図である。
【図２】図２は、本発明の実施の形態１から３に用いるプラズマディスプレイ装置のパネルの電極配列図である。
【図３】図３は、本発明の実施の形態に用いるプラズマディスプレイ装置の駆動方法を使用するプラズマディスプレイ装置の構成図である。
【図４】図４は、本発明の実施の形態１から３に用いるプラズマディスプレイ装置のパネルの各電極に印加する全セル初期化フィールドの駆動電圧波形を示す図である。
【図５】図５は、本発明の実施の形態１から３に用いるプラズマディスプレイ装置のパネルの各電極に印加する選択初期化フィールドの駆動電圧波形を示す図である。
【図６】図６は、本発明の実施の形態１から３に用いるプラズマディスプレイ装置の駆動方法における全セル初期化フィールドと選択初期化フィールドの挿入比率と挿入順序を示す図である。
【図７】図７は、放電休止時間と書込み放電に必要な走査パルス幅の関係を示す図である。
【図８】図８は、本発明の実施の形態２におけるプラズマディスプレイ装置の構成図である。
【図９】図９は、パネル温度が変化した場合の放電休止時間と書込み放電に必要な走査パルス幅の関係を示す図である。
【図１０】図１０は、本発明の実施の形態３におけるプラズマディスプレイ装置の構成図である。
【図１１】図１１は、ＡＰＬが変化した場合の放電休止時間と書込み放電に必要な走査パルス幅の関係を示す図である。
【符号の説明】
【００１８】
１    パネル
２    前面基板
３    背面基板
４    走査電極
５    維持電極
６    誘電体層
７    保護層
８    誘電体層
９    データ電極
１０    隔壁
１１    蛍光体層
１２    データ電極駆動回路
１３    走査電極駆動回路
１４    維持電極駆動回路
１５    タイミング発生回路
１６    画像信号処理回路
１７    温度検出器
１８    ＡＰＬ検出器
３００    プラズマディスプレイ装置
８００    プラズマディスプレイ装置
１０００    プラズマディスプレイ装置
【発明を実施するための最良の形態】
【００１９】
以下、本発明の実施の形態におけるプラズマディスプレイパネルの駆動方法およびプラズマディスプレイ装置について、図面を用いて説明する。【００２０】
（実施の形態１）
図１は本発明の実施の形態１から３に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。【００２１】
背面基板３上には誘電体層８で覆われた複数のデータ電極９が設けられ、データ電極９の間の絶縁体層８上にデータ電極９と平行して隔壁１０が設けられている。絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、例えばネオンとキセノンの混合ガスが封入されている。なお、パネルの構造は上述したものに限られるわけではなく、例えば井桁状の隔壁を備えたものであってもよい。【００２２】
図２は本発明の実施の形態１から３におけるパネルの電極配列図である。行方向に沿ってｎ本の走査電極ＳＣ１〜ＳＣｎ（図１の走査電極４）およびｎ本の維持電極ＳＵ１〜ＳＵｎ（図１の維持電極５）が配列され、列方向に沿ってｍ本のデータ電極Ｄ１〜Ｄｍ（図１のデータ電極９）が配列されている。ｎおよびｍはそれぞれ２以上の自然数である。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。なお、ｉは１〜ｎのうち任意の整数であり、ｊは１〜ｍのうち任意の整数である。【００２３】
図３は本発明の実施の形態１におけるプラズマディスプレイ装置の構成図である。このプラズマディスプレイ装置３００は、パネル１、データ電極駆動回路１２、走査電極駆動回路１３、維持電極駆動回路１４、タイミング発生回路１５、画像信号処理回路１６、および各回路ブロックに必要な電源を供給する電源回路（図示せず）を備える。【００２４】
画像信号処理回路１６は、画像信号Ｓｉｇをパネル１の画素数に応じた画像データに変換し、各画素の画像データを複数のサブフィールドに対応する複数のビットに分割しデータ電極駆動回路１２に出力する。データ電極駆動回路１２はサブフィールド毎の画像データを各データ電極Ｄ１〜Ｄｍに対応する信号に変換し各データ電極Ｄ１〜Ｄｍを駆動する。【００２５】
タイミング発生回路１５は、入力信号Ｓｉｇと水平同期信号Ｈと垂直同期信号Ｖをもとにしてタイミング信号を発生し、後述の各々の駆動回路ブロックへ供給する。走査電極駆動回路１３はタイミング信号にもとづいて走査電極ＳＣ１〜ＳＣｎに駆動電圧を供給し、維持電極駆動回路１４はタイミング信号にもとづいて維持電極ＳＵ１〜ＳＵｎに駆動電圧を供給する。【００２６】
実施の形態１において、タイミング発生回路１５は、フィールド毎で、全セル初期化フィールド用のタイミング信号、選択初期化フィールド用のタイミング信号どちらかを走査電極駆動回路１３および維持電極駆動回路１４に供給する。これにより、走査電極駆動回路１３は、フィールド毎で、全セル初期化フィールド、選択初期化フィールドどちらかの駆動波形を走査電極ＳＣ１〜ＳＣｎに供給する。また、維持電極駆動回路１４は、フィールド毎で、全セル初期化フィールド、選択初期化フィールドどちらかの駆動波形を維持電極ＳＵ１〜ＳＵｎに供給する。詳細は後述する。【００２７】
次に、パネルを駆動するための駆動電圧波形とその動作について説明する。図４、図５は本発明の実施の形態１から３において、パネルの各電極に印加する駆動電圧波形を示す図である。図４は全セル初期化フィールドにおける駆動電圧波形図であり、図５は選択初期化フィールドにおける駆動電圧波形図である。【００２８】
まず、全セル初期化フィールドの駆動電圧波形とその動作について図４を用いて説明する。【００２９】
全セル初期化フィールドは、全セル初期化動作を行う初期化期間を有するサブフィールド、すなわち全セル初期化サブフィールドと、選択初期化動作を行う初期化期間を有するサブフィールド、すなわち選択初期化サブフィールドで構成される。図４は説明のため第１サブフィールド（第１ＳＦ）を全セル初期化サブフィールド、第２サブフィールド（第２ＳＦ）を選択初期化サブフィールドとして示している。【００３０】
まず、全セル初期化サブフィールドの駆動電圧波形とその動作について、第１サブフィールドで説明する。【００３１】
初期化期間の前半部では、データ電極Ｄ１〜Ｄｍ、維持電極ＳＵ１〜ＳＵｎをそれぞれ０Ｖに保持され、走査電極ＳＣ１〜ＳＣｎには放電開始電圧以下の電圧Ｖｉ１から、維持電極ＳＵ１〜ＳＵｎおよびデータ電極Ｄ１〜Ｄｍに対して放電開始電圧を超える電圧Ｖｉ２に向かって緩やかに上昇する傾斜波形電圧が印加される。この傾斜波形電圧が上昇する間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上の壁電圧とは電極を覆う誘電体層や蛍光体層上等に蓄積した壁電荷により生じる電圧を指す。【００３２】
初期化期間の後半部では、維持電極ＳＵ１〜ＳＵｎは正の電圧Ｖｅに保たれ、走査電極ＳＣ１〜ＳＣｎに電圧Ｖｉ３から電圧Ｖｉ４に向かって緩やかに下降するランプ電圧が印加される。すると、すべての放電セルにおいて２回目の微弱な初期化放電が起こり、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧も書込み動作に適した値に調整される。【００３３】
このように、全セル初期化動作では、画像表示に関わる全放電セルにおいて初期化放電が行われ、プライミングが発生する。【００３４】
続く書込み期間では、走査電極ＳＣ１〜ＳＣｎは一旦Ｖｃに保持される。次に、１行目の走査電極ＳＣ１にパルス幅Ｔｗ１の走査パルス電圧Ｖａが印加される。【００３５】
このとき、データ電極Ｄ１〜Ｄｍのうち１行目に表示すべき画像信号に対応するデータ電極Ｄｋ（ｋは１〜ｍの整数を表す）に正の書込みパルス電圧Ｖｄが印加される。すると、書込みパルス電圧Ｖｄを印加したデータ電極Ｄｋと走査電極ＳＣ１との交差部で放電が発生し、対応する放電セルＣ１ｋの維持電極ＳＵ１と走査電極ＳＣ１との間の放電に進展する。そして、放電セルＣ１ｋの走査電極ＳＣ１上部に正電圧が蓄積され、維持電極ＳＵ１上部に負電圧が蓄積され、１行目の書込み動作が終了する。【００３６】
次に、２行目の走査電極ＳＣ２にパルス幅Ｔｗ１の走査パルス電圧Ｖａが印加される。このとき同時に、データ電極Ｄ１〜Ｄｍのうち２行目に表示すべき画像信号に対応するデータ電極Ｄｋに正の書込みパルス電圧Ｖｄが印加される。すると、データ電極Ｄｋと走査電極ＳＣ２との交差部で放電が発生し、対応する放電セルＣ２ｋの維持電極ＳＵ２と走査電極ＳＣ２との間の放電に進展する。そして、放電セルＣ２ｋの走査電極ＳＣ２上部に正電圧が蓄積され、維持電極ＳＵ２上部に負電圧が蓄積され、２行目の書込み動作が終了する。【００３７】
以下同様の書込み動作をｎ行目の放電セルＣｎｋに至るまで行われ、書込み動作が終了する。【００３８】
維持期間においては、走査電極ＳＣ１〜ＳＣｎおよび維持電極ＳＵ１〜ＳＵｎは０（Ｖ）に一旦戻される。その後、走査電極ＳＣ１〜ＳＣｎに正の維持パルス電圧Ｖｓが印加され、書込み放電を起こした放電セルＣｉｊにおける走査電極ＳＣｉ上部と維持電極ＳＵｉ上部との間の電圧は、維持パルス電圧Ｖｓに加える。そのため、書込み期間において走査電極ＳＣｉ上部および維持電極ＳＵｉ上部に蓄積された壁電圧が加算されるので放電開始電圧を超え維持放電が発生する。以降同様に、走査電極ＳＣ１〜ＳＣｎと維持電極ＳＵ１〜ＳＵｎとに維持パルスを交互に印加することにより、書込み放電を発生した放電セルＣｉｊに対して維持パルスの回数だけ維持放電が継続して行われる。【００３９】
続いて全セル初期化フィールドの選択初期化サブフィールドの駆動電圧波形とその動作について図４の第２サブフィールドで説明する。【００４０】
初期化期間では、維持電極ＳＵ１〜ＳＵｎは正電圧Ｖｅに保たれ、走査電極ＳＣ１〜ＳＣｎには、電圧Ｖｉ４に向かって緩やかに下降する傾斜波形電圧が印加される。この間に、維持放電を発生した放電セルＣｉｊに対して選択的に走査電極ＳＣｉと維持電極ＳＵｉ、走査電極ＳＣｉとデータ電極Ｄｊとの間でそれぞれ微弱な初期化放電が起こる。そして、走査電極ＳＣｉ上部の負の壁電圧および維持電極ＳＵｉ上部の正の壁電圧が弱められ、データ電極Ｄｊ上部の正の壁電圧は書き込み動作に適した値に調整される。一方、直前のサブフィールドで書込み放電および維持放電を行わなかった放電セルは、初期化期間の間放電することはなく、前のサブフィールドの初期化期間終了時における壁電荷状態がそのまま保たれる。【００４１】
このように、選択初期化サブフィールドの初期化動作は直前のサブフィールドで維持放電を行った放電セルにおいて初期化放電させる選択初期化動作であり、維持放電を行わなかった放電セルではプライミングが発生しない。【００４２】
書込み期間および維持期間については、全セル初期化サブフィールドの書込み期間および維持期間と同様であるため説明を省略する。【００４３】
次に選択初期化フィールドの駆動電圧波形とその動作について図５を用いて説明する。【００４４】
選択初期化フィールドは、全セル初期化サブフィールドを持たず、前述した選択初期化サブフィールドのみで構成されたフィールドである。初期化期間、書込み期間、維持期間における基本的な動作は、全セル初期化フィールドにおける選択初期化サブフィールドと同様であるため説明を省略する。そうして、ここでは全セル初期化フィールドにおける選択初期化サブフィールドと異なる部分についてのみ説明する。【００４５】
選択初期化フィールドでは、少なくとも１つのサブフィールド（図５では第１サブフィールドのみを対象のサブフィールドとしている）における走査パルス幅を、全セル初期化フィールドにおける走査パルス幅Ｔｗ１よりも大きいＴｗ２に延伸して印加される。【００４６】
選択初期化フィールドにおける走査パルス幅Ｔｗ２は、全セル初期化サブフィールドがないことによる放電遅れの増加を十分補償できるよう十分大きく設定されているため、書込み放電は安定的に発生し、不灯は発生しない。【００４７】
そして、本発明の実施の形態１においては、上記のような全セル初期化フィールドと選択初期化フィールドを１：Ｎ（但し、Ｎは１以上の整数とする）の比率で備える。【００４８】
なお、Ｎは「選択初期化フィールドの挿入比率」と呼称し、１つの全セル初期化フィールドを先頭として（Ｎ＋１）フィールドを１サイクルとすると、先頭の全セル初期化フィールドに続く選択初期化フィールドの数を示すものとする。【００４９】
選択初期化フィールド中は、黒表示の放電セルに対しては放電が一切発生しない。そのため、本発明の実施の形態において、黒表示の放電セルに対して発生する発光は、全セル初期化フィールドにおける全セル初期化動作時の微弱発光のみとなる。これにより、毎フィールド全セル初期化動作を行っていた従来の駆動方式と比較して、画像のコントラストが向上されるとともに、黒表示時の輝度（以下、「黒輝度」と略記する）が十分に低減される。図６に具体的な実施例を示す。【００５０】
図６は、挿入比率Ｎが１から３の場合の例を示しており、第１の例６１０はＮ＝１の場合を、第２の例６２０はＮ＝２の場合を、第３の例６３０はＮ＝３の場合をそれぞれ示している。例えば、選択初期化フィールドの挿入比率Ｎ＝１とした場合（第１の例６１０の場合）は、図６に示したように、全セル初期化フィールドと選択初期化フィールドの駆動波形が１フィールド毎に交互にパネルに印加される。この場合、毎フィールドで全セル初期化動作を行う従来の駆動方式と比較して、２フィールド当りの平均の黒輝度を、１／２にすることが出来る。【００５１】
同様に、選択初期化フィールドの挿入比率Ｎ＝２とした場合（第２の例６２０の場合）は、全セル初期化フィールドの駆動波形が１フィールド印加され、続けて選択初期化フィールドの駆動波形が２フィールド連続して印加される。そうして、これらの動作が繰り返される。この場合では、３フィールド当りの平均の黒輝度を、１／３にすることができ、更に黒輝度を下げることが出来る。【００５２】
このようにして、本発明の実施の形態においては、選択初期化フィールドの挿入比率Ｎの値を任意に設定することにより、必要に応じ、自由に黒輝度を調節することができる。【００５３】
次に、選択初期化フィールドにおいて走査パルス幅の延伸を行うサブフィールドの決定方法について説明する。【００５４】
選択初期化フィールドにおいて走査パルス幅の延伸を行うサブフィールドは、選択初期化フィールドの挿入比率Ｎ、全セル初期化動作の挿入サブフィールド、点灯サブフィールドの組み合わせなどによって異なる。【００５５】
全セル初期化動作では放電セルには初期化期間において必ず放電が発生する、つまりプライミングが発生する。そのため、全セル初期化動作から次の全セル初期化動作までに存在するサブフィールドは全て、先の全セル初期化動作によるプライミングの影響を受ける。よって、選択初期化フィールドでは、全セル初期化動作によるプライミングの影響を受けていたサブフィールド全てが走査パルス幅の延伸対象となる。【００５６】
例えば、選択初期化フィールドの挿入比率Ｎ＝１（第１の例６１０の場合）として、全セル初期化フィールドの全セル初期化サブフィールドが第１サブフィールドのみである場合を考える。この場合は、全セル初期化フィールドの第１サブフィールドから最終サブフィールドまでの全サブフィールドが、第１サブフィールドの全セル初期化動作によるプライミングの影響を受けている。そのため、選択初期化フィールドでは、全てのサブフィールドにおいて、全セル初期化フィールド時よりも放電遅れが増大し、書込み放電が不安定になる。そのため、この場合は選択初期化フィールドの全サブフィールドが走査パルス幅延伸の対象となる。【００５７】
同様にして、選択初期化フィールドの挿入比率Ｎ＝１で、全セル初期化フィールドの全セル初期化サブフィールドが第４サブフィールドのみである場合には、選択初期化フィールドの第４サブフィールド以降のサブフィールドが走査パルス幅延伸の対象となる。【００５８】
また、選択初期化フィールドの挿入比率Ｎ＝２（第２の例６２０の場合）で、全セル初期化フィールドの全セル初期化サブフィールドが第４サブフィールドのみである場合について説明する。この場合には、全セル初期化フィールドに続く１つ目の選択初期化フィールドでは第４サブフィールド以降のサブフィールドが、１つ目の選択初期化フィールドに続く２つ目の選択初期化フィールドでは全サブフィールドが、走査パルス幅延伸の対象となる。【００５９】
しかし、ここで選択初期化フィールドにおいて書込み放電が不安定となるサブフィールド全てに対し、走査パルス幅の延伸を行うことは、駆動時間の大幅な増加を招き、好ましくない。【００６０】
そこで、本発明の実施の形態１から３においては、階調表示を行うために発光させるサブフィールドの組み合わせ方法（以下、「コーディング」と略記する）を考慮した上で、走査パルス幅延伸の対象サブフィールドを限定し、駆動時間の増加を軽減することが望ましい。【００６１】
例えば、全セル初期化サブフィールドが全セル初期化フィールドの第１サブフィールドのみである場合に、０階調を除く全ての階調表示時には必ず第１サブフィールドを点灯させるコーディングを用いる場合には、走査パルス幅延伸の対象サブフィールドは第１サブフィールドのみに限定される。【００６２】
これは、選択初期化フィールドにおける第１サブフィールドの書込み放電さえ確実に行うことが出来れば、第１サブフィールドの維持放電により発生したプライミングによって、放電遅れが小さくなる。そのため、その後のサブフィールドでは走査パルス幅の延伸なくしても、書込み放電が安定的に発生するためである。【００６３】
同様にして、全セル初期化サブフィールドが第１サブフィールドのみであり、０階調を除く全ての階調表示時には、第１もしくは第２サブフィールドを点灯させるコーディングを用いる場合には、走査パルス幅の延伸対象サブフィールドは第１、第２サブフィールドのみに限定される。【００６４】
次に、本発明の実施の形態において、選択初期化フィールドにおける走査パルス幅延伸量を決定する方法、および選択初期化フィールドの挿入比率Ｎに応じ、選択初期化フィールドにおける走査パルス幅延伸量を制御する理由について説明する。【００６５】
図７は、放電終了時から書込み放電を行うまでの経過時間（以下、「放電休止時間」と略記する）に対して、安定な書込み放電に必要な走査パルス幅の変化を示す。図７において、横軸は放電休止時間（単位はｍｓ）を示し、縦軸は安定な書込み放電に必要な走査パルス幅（単位はμｓ）を示す。放電直後は放電により発生したプライミングにより、放電遅れは小さく、安定な書込み放電に必要な走査パルス幅も小さい。しかし、放電休止時間の増加に伴い、放電セル内のプライミングが減少し、放電遅れが増大するため、安定な書込み放電に必要な走査パルス幅は増大していく。【００６６】
選択初期化フィールドにおける走査パルス幅の延伸対象サブフィールドでは、全セル初期化フィールド時よりもこの放電休止時間が大きくなる場合が発生する。そのために、全セル初期化フィールドにおける走査パルス幅Ｔｗ１では走査パルス幅が不足し、不灯が発生する。【００６７】
したがって、選択初期化フィールドにおける走査パルス幅Ｔｗ２は、走査パルス幅の延伸対象サブフィールドにおいて取りうる放電休止時間のうち、これが最大となる場合を想定し、決定する必要がある。【００６８】
放電休止時間は、放電セル内で放電が発生するたびに０に戻るため、放電休止時間が最大となるのは、全セル初期化動作から走査パルス幅の延伸対象サブフィールドまでの間に一度も放電が発生しない場合となる。【００６９】
この取りうる最大の放電休止時間（以下、「最大放電休止時間」と略記する）から、安定な書込み放電に必要な走査パルス幅を算出し、選択初期化フィールドにおける走査パルス幅Ｔｗ２が決定される。【００７０】
また、選択初期化フィールドの挿入比率Ｎが２以上の場合は、連続する選択初期化フィールドの中でも時間的に後ろに位置するフィールドの方が最大放電休止時間が大きくなる。そのため、時間的に後ろに位置する選択初期化フィールドにおける走査パルス幅Ｔｗ２は、時間的に前に位置する選択初期化フィールドの走査パルス幅Ｔｗ２よりも大きくなるように設定される。【００７１】
例えば、全セル初期化サブフィールドが第１サブフィールドのみの従来の駆動方式に対し、選択初期化フィールドの挿入比率Ｎ＝１として本発明を実施し、選択初期化フィールドにおける第１サブフィールドの走査パルス幅Ｔｗ２を決定する場合を例に挙げてみる。この場合は、選択初期化フィールドの第１サブフィールドにおける最大放電休止時間は、約１フィールド分であり、フィールド周波数が６０Ｈｚであるとすると、約１６．７ｍｓになる。【００７２】
よって、選択初期化フィールドにおける第１サブフィールドの走査パルス幅Ｔｗ２は、図７中の放電休止時間１６．７ｍｓにおける値から１．０５μｓ以上のパルス幅となるよう設定される。【００７３】
また、前述の例において、選択初期化フィールドの挿入比率Ｎ＝２とした場合を考えてみる。この場合は、全セル初期化フィールドに続く１つ目の選択初期化フィールドにおける第１サブフィールドの走査パルス幅Ｔｗ２は、選択初期化フィールドの挿入比率Ｎ＝１とした場合と同様の考え方から１．０５μｓ以上に設定される。一方、続く２つ目の選択初期化フィールドにおける第１サブフィールドの走査パルス幅Ｔｗ２は、最大放電休止時間が、約２フィールド分（３３．４ｍｓ）となる。このことから、走査パルス幅Ｔｗ２は、１つ目の選択初期化フィールドにおける第１サブフィールドの走査パルス幅よりも更に延伸し、１．７μｓ以上となるよう設定される。【００７４】
このように、選択初期化フィールドにおける第１サブフィールドの走査パルス幅Ｔｗ２は、選択初期化フィールドの挿入比率Ｎに応じ、選択初期化フィールドの時間的位置においても異なっている。【００７５】
（実施の形態２）
次に、パネル温度によって放電特性が変化する影響を考慮して、パネル温度によらず上述した駆動制御を最適な条件で行うことができる実施の形態について説明する。【００７６】
図８は、本発明の実施の形態２におけるプラズマディスプレイ装置８００の回路ブロック図である。実施の形態２におけるパネルの構造、駆動電圧波形の概要等は実施の形態１と同様である。実施の形態２が実施の形態１と異なる点は、プラズマディスプレイ装置８００はパネル温度を検出する温度検出器１７を備え、選択初期化フィールドの挿入比率Ｎを温度検出器が検出するパネル温度に応じて設定している点である。【００７７】
図８のプラズマディスプレイ装置８００において、図３のプラズマディスプレイ装置３００と同じ参照番号を付されている箇所はプラズマディスプレイ装置３００と同様である。なお、タイミング発生回路１５は温度検出器１７からの信号も受けて動作する。したがって、温度検出器１７および温度検出器１７に関係する箇所を中心に説明する。温度検出器１７は、パネル温度を計測してタイミング発生回路１５に出力する。タイミング発生回路１５は、温度検出器１７から出力されるパネル温度にもとづき、パネル温度が高いときほど選択初期化フィールドの挿入比率Ｎが大きくなるように設定した上で、パネル１を駆動するための各種のタイミング信号を生成する。そうして、タイミング発生回路１５は、各種のタイミング信号をそれぞれの回路ブロックへ出力する。その他の回路ブロックについては実施の形態１で説明したプラズマディスプレイ装置３００と同様である。【００７８】
次に本発明の実施の形態２において、選択初期化フィールドの挿入比率Ｎをパネル温度によって制御する理由について説明する。【００７９】
一般的にプラズマディスプレイでは、パネル温度によって放電開始電圧が変化し、放電開始電圧の変化に伴い、放電遅れも変化する。図９は、各パネル温度において、放電休止時間に対する安定な書込み放電に必要な走査パルス幅の変化を示す。【００８０】
図９において、横軸は放電休止時間（単位はｍｓ）を示し、縦軸は書込みに必要な走査パルス幅（単位はμｓ）を示している。曲線９０１はパネル温度が約０度の場合、曲線９０２はパネル温度が約３０度の場合、曲線９０３はパネル温度が約５０度の場合をそれぞれ示している。パネル温度が高温になればなるほど、放電遅れは減少するため、安定な書込み放電に必要な走査パルス幅は小さくなる。このため、同じ走査パルス幅においては、パネル温度が高い場合は、パネル温度が低い場合と比較してより大きな放電休止時間となる場合においても不灯が発生しない。この特性を利用し、本発明の実施の形態２では、パネル温度が高温になればなるほど、選択初期化フィールドの挿入比率Ｎが増加され、黒輝度の低減が行なわれる。【００８１】
図９の特性を持つパネル１に対して、実施の形態２においては、全セル初期化フィールドの全セル初期化サブフィールドが第１サブフィールドのみ、この第１サブフィールドの走査パルス幅が１μｓとし、０階調を除く全階調表示時には必ず第１サブフィールドが点灯するコーディングを用い、選択初期化フィールドの第１サブフィールドの走査パルス幅を１．３μｓに延伸する。それとともに、パネル温度が５０℃未満の領域では選択初期化フィールドの挿入比率Ｎ＝１と設定し、５０℃以上の領域では、Ｎ＝２と設定する。【００８２】
これにより、パネル温度が５０℃未満の領域では、安定した書込み動作により放電セルの不灯をなくすことができる。それとともに、毎フィールド全セル初期化動作を行う従来の駆動方式に対して１／２となる黒輝度を実現でき、５０℃以上の領域では、更に黒輝度を落とし、従来の駆動方式に対して１／３となる黒輝度を実現できる。【００８３】
このように、実施の形態２においては、パネル温度の増減によって変化する放電特性に応じ、選択初期化フィールドの挿入比率Ｎを変化させることで安定した書込み放電を実現する。これにより、どのパネル温度においても、安定した書込み動作と高コントラストな画像表示の両立が可能となる。【００８４】
（実施の形態３）
次に、実施の形態３について説明する。図１０は、実施の形態３におけるプラズマディスプレイ装置１０００の回路ブロック図である。実施の形態３におけるパネル１の構造、駆動電圧波形の概要等は実施の形態１と同様である。実施の形態３でのプラズマディスプレイ装置１０００が実施の形態１でのプラズマディスプレイ装置３００と異なる点は、プラズマディスプレイ装置１０００に表示すべき画像のＡＰＬ（平均輝度レベル）を検出するＡＰＬ検出器１８を備え、選択初期化フィールドの挿入比率ＮをＡＰＬ検出器１８が検出するＡＰＬに応じて設定している点である。【００８５】
図１０のプラズマディスプレイ装置１０００において、図３のプラズマディスプレイ装置３００と同じ参照番号を付されている箇所はプラズマディスプレイ装置３００と同様である。なお、タイミング発生回路１５はＡＰＬ検出器１８からの信号も受けて動作する。したがって、ＡＰＬ検出器１８およびＡＰＬ検出器１８に関係する箇所を中心に説明する。ＡＰＬ検出器１８は、表示すべき映像信号ＳｉｇのＡＰＬを検出し、その値をタイミング発生回路１５に出力する。タイミング発生回路１５は、ＡＰＬ検出器１８から出力されるＡＰＬにもとづき、ＡＰＬが低いときほど選択初期化フィールドの挿入比率Ｎが大きくなるように設定した上で、パネル１を駆動するための各種のタイミング信号を生成する。そうして、タイミング発生回路１５は、生成した各種のタイミング信号をそれぞれの回路ブロックへ出力する。プラズマディスプレイ装置１０００のその他の回路ブロックについては実施の形態１のプラズマディスプレイ装置３００と同様である。【００８６】
次に本発明の実施の形態３において、選択初期化フィールドの挿入比率ＮをＡＰＬによって制御する理由について説明する。【００８７】
図１１は、各ＡＰＬにおいて、放電休止時間に対する安定な書込み放電に必要な走査パルス幅の変化を示す。図１１において、横軸は放電休止時間（単位はｍＳ）を示し、縦軸１１２０は書込みに必要な走査パルス幅（単位はμＳ）を示している。曲線１１０１はＡＰＬが１００パーセントの場合、曲線１１０２はＡＰＬが５０パーセントの場合、曲線１１０３はＡＰＬが１８パーセントの場合、曲線１１０４はＡＰＬが１.５パーセントの場合をそれぞれ示している。図１１から分かるように、ＡＰＬが高くなると安定な書込み放電に必要な走査パルス幅は増加する。これには、以下のような理由が考えられる。【００８８】
一般的にＡＰＬの高い画像表示時には、画像表示領域において点灯する部分の占める割合が多くなるため、書込み放電を行う放電セルの割合が増加し、書込み放電時に発生する放電電流も増加する。電極を駆動する回路および各電極はインピーダンスを有しているため、放電電流が増加するとそれに伴い電圧降下が生じる。この電圧降下により各放電セルへの印加電圧が低下し、放電遅れが増加する。このため、その放電遅れの増加を補償するために、書込み放電に必要な走査パルス幅が大きくなる。【００８９】
このため、ＡＰＬが高い場合と低い場合を比較すると、同じ走査パルス幅においては、ＡＰＬが低い場合の方が、より大きな放電休止時間となる場合においても不灯が発生しなくなる。この特性を利用し、本発明の実施の形態３では、ＡＰＬが低くなればなるほど、選択初期化フィールドの挿入比率Ｎを増加させ、黒輝度の低減を行う。【００９０】
図１１の特性を持つパネルに対して、実施の形態３においては、全セル初期化フィールドの全セル初期化サブフィールドが第１サブフィールドのみ、この第１サブフィールドの走査パルス幅が１μｓとし、０階調を除く全階調表示時には必ず第１サブフィールドが点灯するコーディングを用い、選択初期化フィールドの第１サブフィールドの走査パルス幅を１．３μｓに延伸する。そうして、ＡＰＬが１８パーセント以上の領域では選択初期化フィールドの挿入比率Ｎ＝１と設定し、１８パーセント未満の領域では、Ｎ＝２に設定される。【００９１】
これにより、ＡＰＬが１８パーセント以上の領域では、毎フィールド全セル初期化動作を行う従来の駆動方式に対して１／２となる黒輝度を実現でき、１８％未満の領域では、更に黒輝度を落とし、従来の駆動方式に対して１／３となる黒輝度を実現できる。【００９２】
このように、本発明の実施の形態３は、ＡＰＬの増減による各放電セルへの印加電圧の変化に対しても、選択初期化フィールドの挿入比率Ｎを変化させることで安定した書込み放電を実現する。これにより、どのＡＰＬにおいても、安定した書込み動作と高コントラストな画像表示の両立が可能となる。【００９３】
なお、本発明の実施の形態において用いた具体的な各数値は、単に一例を挙げたに過ぎない。従って、本実施の形態は何らこれらの数値に限定されるものではなく、パネルや駆動回路の特性等に応じ、適宜最適な値に設定することが望ましい。【００９４】
また、本実施の形態では全セル初期化動作は第１サブフィールドに挿入しているが、本発明は全セル初期化動作がいずれの複数サブフィールドにあってもよい。【００９５】
以上の説明から明らかな通り、本発明によれば、全セルフィールドと選択フィールドを特定の割合で設けてプラズマディスプレイ装置を駆動するに際し、選択初期化フィールドにおける書込み放電を安定化することが可能となり、コントラスト比が高く、かつ良好な品質で画像表示させることが可能となる。
【産業上の利用可能性】
【００９６】
本発明のパネルの駆動方法は、全セル初期化動作を行わないがために書込み放電が不安定となるフィールドにおいても、走査パルス幅を延伸することにより、それらを補償し、安定的な書込み動作が可能となる。この安定した書込み動作により放電セルの不灯をなくし、コントラスト比が高く、良好な品質で画像表示させることができるので、プラズマディスプレイパネルの駆動方法として有用である。
【図１】
2009101784.tif 000003
【図２】
2009101784.tif 000004
【図３】
2009101784.tif 000005
【図４】
2009101784.tif 000006
【図５】
2009101784.tif 000007
【図６】
2009101784.tif 000008
【図７】
2009101784.tif 000009
【図８】
2009101784.tif 000010
【図９】
2009101784.tif 000011
【図１０】
2009101784.tif 000012
【図１１】
2009101784.tif 000013
【手続補正書】
【提出日】平成21年5月11日(2009.5.11)
【手続補正１】
【補正対象書類名】明細書
【補正対象項目名】全文
【補正方法】変更
【補正の内容】
【発明の詳細な説明】
【技術分野】
【０００１】
本発明は、プラズマティスプレイパネル装置とその駆動方法に関する。
【背景技術】
【０００２】
プラズマディスプレイパネル（以下、「パネル」と略記する）として代表的な交流面放電型パネルは、対向配置された前面板と背面板との間に多数の放電セルを備える。
【０００３】
前面板は、前面ガラス基板、複数の表示電極、誘電体層および保護層により構成される。各表示電極は、一対の走査電極および維持電極からなる。複数の表示電極は、前面ガラス基板上に互いに平行に形成され、それらの表示電極を覆うように誘電体層および保護層が形成されている。
【０００４】
背面板は、背面ガラス基板、複数のデータ電極、誘電体層、複数の隔壁および蛍光体層により構成される。背面ガラス基板上に複数のデータ電極が平行に形成され、それらを覆うように誘電体層が形成されている。その誘電体層上にデータ電極と平行に複数の隔壁がそれぞれ形成され、誘電体層の表面と隔壁の側面とにＲ（赤）、Ｇ（緑）およびＢ（青）の蛍光体層が形成されている。
【０００５】
そして、表示電極とデータ電極とが立体交差するように前面板と背面板とが対向配置されて密封され、内部の放電空間には放電ガスが封入されている。表示電極とデータ電極とが対向する部分に放電セルが形成される。
【０００６】
このような構成を有するパネルにおいて、各放電セル内でガス放電により紫外線が発生し、その紫外線でＲ、ＧおよびＢの蛍光体が励起されて発光する。それにより、カラー表示が行われる。なお、パネル上の１画素は、Ｒ、ＧおよびＢの蛍光体をそれぞれ含む３つの放電セルにより構成される。
【０００７】
パネルを駆動する方法としてはサブフィールド法が用いられている。サブフィールド法では、１フィールド期間が複数のサブフィールド（以下、「サブフィールド」と略記する）に分割され、それぞれのサブフィールドで各放電セルを発光または非発光させることにより階調表示が行われる。
【０００８】
以下にサブフィールド法について簡単に説明する。各サブフィールドはそれぞれ初期化期間、書込み期間および維持期間を有する。まず、初期化期間では、全ての放電セルで一斉に初期化放電が行われ、それ以前の個々の放電セルに対する壁電荷の履歴が消去されるとともに、続く書込み動作のために必要な壁電荷が形成される。加えて、初期化期間では、放電遅れを小さくし書込み放電を安定して発生させるためのプライミング（放電のための起爆剤＝励起粒子）を発生させるという働きがある。続く書込み期間では、走査電極に順次走査パルスが印加されるとともに、データ電極には表示すべき画像信号に対応した書込みパルスが印加され、走査電極とデータ電極との間で選択的に書込み放電が起きて、選択的な壁電荷の形成が行なわれる。そして維持期間では、走査電極と維持電極との間に輝度重みに応じた所定の回数の維持パルスが印加され、書込み放電による壁電荷形成が行われた放電セルが選択に放電し発光する。
【０００９】
また、サブフィールド法の中でも、初期化期間に、全セル初期化動作または選択初期化動作のいずれかの動作を行うことにより、階調表示に関係しない発光を極力減らし、コントラスト比を向上した新規な駆動方法が特開２０００−２４２２２４号公報（以下、特許文献１と記す）に開示されている。全セル初期化動作は、画像表示を行う全ての放電セルに対して初期化放電を行わせるセル初期化動作である。また、選択初期化動作は、直前のサブフィールドにおいて維持放電を行った放電セルに対して選択的に初期化放電を行わせる初期化動作である。
【００１０】
ところで、パネルの一部または全体に黒を表示する場合には、黒を表示する画素を構成する放電セルが１フィールド期間に亘って非発光状態にされる。以下、非発光状態となる放電セルを非発光放電セルと呼ぶ。
【００１１】
この場合、書込み期間において、走査電極には走査パルスが順次印加されるが、データ電極には非発光放電セルに対応する書込みパルスが印加されない。それにより、非発光放電セルでは書込み放電が発生しないので、続く維持期間においても非発光放電セルでは維持放電が発生しない。このようにして、パネルの一部または全体に黒が表示される。
【００１２】
ここで、画像のコントラストを向上させるために、パネルの一部または全体に表示される黒の輝度をできる限り低くすることが望まれている。しかしながら、（特許文献１）のような駆動方法においても、全セル初期化動作時には、すべての放電セルにおいて微弱放電が発生するため、黒を表示する画素の発光輝度は完全には「０」とならない。その結果、パネルに表示される黒の輝度を十分に低下させることはできない。
【００１３】
また、この課題を解決する方法として、本発明者は、全セル初期化動作を有するフィールド（以下、「全セル初期化フィールド」と略記する）と、全セル初期化動作を１つも有さず選択初期化動作のみで構成されたフィールド（以下、「選択初期化フィールド」と略記する）とを、特定の割合で備える駆動方法を試みた。しかし、放電によって生じるプライミングは時間の経過とともに急速に減少するため、このような駆動方法においては、選択初期化フィールドにおいて、全セル初期化動作がないことでプライミングが不足する。そうして、走査電極に走査パルスを印加し、データ電極に書込みパルスが加わってから放電が起こるまでの時間（以下、放電遅れと略記）が大きくなるサブフィールドが発生する。その結果、走査電極に走査パルスを印加している時間（以下、走査パルス幅と呼ぶ）以内で放電を起こすことができず、書き込み不良を起こし不灯が発生するなどの問題がある。
【先行技術文献】
【特許文献】
【００１４】
【特許文献１】特開２０００−２４２２２４号公報
【発明の概要】
【００１５】
本発明は、これらの課題に鑑み、特定の割合で設けた選択初期化フィールドの書込み期間における選択的な書込み放電を安定化させることによって、放電セルの不灯をなくし、コントラスト比が高く、良好な品質で画像表示させることができるパネルの駆動方法を提供する。
【００１６】
プラズマディスプレイパネルの駆動方法は、走査電極および維持電極とデータ電極との交差部に放電セルを形成したプラズマディスプレイパネルの駆動方法である。１フィールド期間は、放電セルに初期化放電を発生させる初期化期間と、放電セルに書込み放電を発生させるために走査電極に走査パルスを印加する書込み期間と、放電セルに所定の輝度重みで発光させるための維持放電を発生させる維持期間とをそれぞれ有する複数のサブフィールドから構成される。複数のサブフィールドのそれぞれの初期化期間は、画像表示を行う全ての放電セルに対して初期化放電を発生させる全セル初期化動作、または直前のサブフィールドにおいて維持放電を発生した放電セルに対して選択的に初期化放電を発生させる選択初期化動作のいずれかの動作を行う。全セル初期化動作を有するサブフィールドを少なくとも１つ有するフィールドを全セル初期化フィールドとし、選択初期化動作のサブフィールドのみで構成されたフィールドを選択初期化フィールドとし、全セル初期化フィールドと選択初期化フィールドを１：Ｎ（但し、Ｎは１以上の整数とする）の比率で備えるとともに、少なくとも１つのサブフィールドにおいて、Ｎに応じて選択初期化フィールドの走査パルスの幅を延伸する。
【００１７】
プラズマディスプレイ装置は、走査電極および維持電極とデータ電極との交差部に放電セルを形成したプラズマディスプレイパネルの表示装置である。１フィールド期間は、放電セルに初期化放電を発生させる初期化期間と、放電セルに書込み放電を発生させるために走査電極に走査パルスを印加する書込み期間と、放電セルに所定の輝度重みで発光させるための維持放電を発生させる維持期間とをそれぞれ有する複数のサブフィールドから構成される。複数のサブフィールドのそれぞれの初期化期間は、画像表示を行う全ての放電セルに対して初期化放電を発生させる全セル初期化動作、または直前のサブフィールドにおいて維持放電を発生した放電セルに対して選択的に初期化放電を発生させる選択初期化動作のいずれかの動作を行う。全セル初期化動作を有するサブフィールドを少なくとも１つ有するフィールドを全セル初期化フィールドとし、選択初期化動作のサブフィールドのみで構成されたフィールドを選択初期化フィールドとし、全セル初期化フィールドと選択初期化フィールドを１：Ｎ（但し、Ｎは１以上の整数とする）の比率で備えるとともに、少なくとも１つのサブフィールドにおいて、Ｎに応じて前記選択初期化フィールドにおける走査パルス幅を延伸する。
【図面の簡単な説明】
【００１８】
【図１】本発明の実施の形態１から３に用いるプラズマディスプレイ装置のパネルの要部を示す斜視図
【図２】本発明の実施の形態１から３に用いるプラズマディスプレイ装置のパネルの電極配列図
【図３】本発明の実施の形態に用いるプラズマディスプレイ装置の駆動方法を使用するプラズマディスプレイ装置の構成図
【図４】本発明の実施の形態１から３に用いるプラズマディスプレイ装置のパネルの各電極に印加する全セル初期化フィールドの駆動電圧波形を示す図
【図５】本発明の実施の形態１から３に用いるプラズマディスプレイ装置のパネルの各電極に印加する選択初期化フィールドの駆動電圧波形を示す図
【図６】本発明の実施の形態１から３に用いるプラズマディスプレイ装置の駆動方法における全セル初期化フィールドと選択初期化フィールドの挿入比率と挿入順序を示す図
【図７】放電休止時間と書込み放電に必要な走査パルス幅の関係を示す図
【図８】本発明の実施の形態２におけるプラズマディスプレイ装置の構成図
【図９】パネル温度が変化した場合の放電休止時間と書込み放電に必要な走査パルス幅の関係を示す図
【図１０】本発明の実施の形態３におけるプラズマディスプレイ装置の構成図
【図１１】ＡＰＬが変化した場合の放電休止時間と書込み放電に必要な走査パルス幅の関係を示す図
【発明を実施するための形態】
【００１９】
以下、本発明の実施の形態におけるプラズマディスプレイパネルの駆動方法およびプラズマディスプレイ装置について、図面を用いて説明する。
【００２０】
（実施の形態１）
図１は本発明の実施の形態１から３に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。
【００２１】
背面基板３上には誘電体層８で覆われた複数のデータ電極９が設けられ、データ電極９の間の絶縁体層８上にデータ電極９と平行して隔壁１０が設けられている。絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、例えばネオンとキセノンの混合ガスが封入されている。なお、パネルの構造は上述したものに限られるわけではなく、例えば井桁状の隔壁を備えたものであってもよい。
【００２２】
図２は本発明の実施の形態１から３におけるパネルの電極配列図である。行方向に沿ってｎ本の走査電極ＳＣ１〜ＳＣｎ（図１の走査電極４）およびｎ本の維持電極ＳＵ１〜ＳＵｎ（図１の維持電極５）が配列され、列方向に沿ってｍ本のデータ電極Ｄ１〜Ｄｍ（図１のデータ電極９）が配列されている。ｎおよびｍはそれぞれ２以上の自然数である。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。なお、ｉは１〜ｎのうち任意の整数であり、ｊは１〜ｍのうち任意の整数である。
【００２３】
図３は本発明の実施の形態１におけるプラズマディスプレイ装置の構成図である。このプラズマディスプレイ装置３００は、パネル１、データ電極駆動回路１２、走査電極駆動回路１３、維持電極駆動回路１４、タイミング発生回路１５、画像信号処理回路１６、および各回路ブロックに必要な電源を供給する電源回路（図示せず）を備える。
【００２４】
画像信号処理回路１６は、画像信号Ｓｉｇをパネル１の画素数に応じた画像データに変換し、各画素の画像データを複数のサブフィールドに対応する複数のビットに分割しデータ電極駆動回路１２に出力する。データ電極駆動回路１２はサブフィールド毎の画像データを各データ電極Ｄ１〜Ｄｍに対応する信号に変換し各データ電極Ｄ１〜Ｄｍを駆動する。
【００２５】
タイミング発生回路１５は、入力信号Ｓｉｇと水平同期信号Ｈと垂直同期信号Ｖをもとにしてタイミング信号を発生し、後述の各々の駆動回路ブロックへ供給する。走査電極駆動回路１３はタイミング信号にもとづいて走査電極ＳＣ１〜ＳＣｎに駆動電圧を供給し、維持電極駆動回路１４はタイミング信号にもとづいて維持電極ＳＵ１〜ＳＵｎに駆動電圧を供給する。
【００２６】
実施の形態１において、タイミング発生回路１５は、フィールド毎で、全セル初期化フィールド用のタイミング信号、選択初期化フィールド用のタイミング信号どちらかを走査電極駆動回路１３および維持電極駆動回路１４に供給する。これにより、走査電極駆動回路１３は、フィールド毎で、全セル初期化フィールド、選択初期化フィールドどちらかの駆動波形を走査電極ＳＣ１〜ＳＣｎに供給する。また、維持電極駆動回路１４は、フィールド毎で、全セル初期化フィールド、選択初期化フィールドどちらかの駆動波形を維持電極ＳＵ１〜ＳＵｎに供給する。詳細は後述する。
【００２７】
次に、パネルを駆動するための駆動電圧波形とその動作について説明する。図４、図５は本発明の実施の形態１から３において、パネルの各電極に印加する駆動電圧波形を示す図である。図４は全セル初期化フィールドにおける駆動電圧波形図であり、図５は選択初期化フィールドにおける駆動電圧波形図である。
【００２８】
まず、全セル初期化フィールドの駆動電圧波形とその動作について図４を用いて説明する。
【００２９】
全セル初期化フィールドは、全セル初期化動作を行う初期化期間を有するサブフィールド、すなわち全セル初期化サブフィールドと、選択初期化動作を行う初期化期間を有するサブフィールド、すなわち選択初期化サブフィールドで構成される。図４は説明のため第１サブフィールド（第１ＳＦ）を全セル初期化サブフィールド、第２サブフィールド（第２ＳＦ）を選択初期化サブフィールドとして示している。
【００３０】
まず、全セル初期化サブフィールドの駆動電圧波形とその動作について、第１サブフィールドで説明する。
【００３１】
初期化期間の前半部では、データ電極Ｄ１〜Ｄｍ、維持電極ＳＵ１〜ＳＵｎをそれぞれ０Ｖに保持され、走査電極ＳＣ１〜ＳＣｎには放電開始電圧以下の電圧Ｖｉ１から、維持電極ＳＵ１〜ＳＵｎおよびデータ電極Ｄ１〜Ｄｍに対して放電開始電圧を超える電圧Ｖｉ２に向かって緩やかに上昇する傾斜波形電圧が印加される。この傾斜波形電圧が上昇する間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上の壁電圧とは電極を覆う誘電体層や蛍光体層上等に蓄積した壁電荷により生じる電圧を指す。
【００３２】
初期化期間の後半部では、維持電極ＳＵ１〜ＳＵｎは正の電圧Ｖｅに保たれ、走査電極ＳＣ１〜ＳＣｎに電圧Ｖｉ３から電圧Ｖｉ４に向かって緩やかに下降するランプ電圧が印加される。すると、すべての放電セルにおいて２回目の微弱な初期化放電が起こり、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧も書込み動作に適した値に調整される。
【００３３】
このように、全セル初期化動作では、画像表示に関わる全放電セルにおいて初期化放電が行われ、プライミングが発生する。
【００３４】
続く書込み期間では、走査電極ＳＣ１〜ＳＣｎは一旦Ｖｃに保持される。次に、１行目の走査電極ＳＣ１にパルス幅Ｔｗ１の走査パルス電圧Ｖａが印加される。
【００３５】
このとき、データ電極Ｄ１〜Ｄｍのうち１行目に表示すべき画像信号に対応するデータ電極Ｄｋ（ｋは１〜ｍの整数を表す）に正の書込みパルス電圧Ｖｄが印加される。すると、書込みパルス電圧Ｖｄを印加したデータ電極Ｄｋと走査電極ＳＣ１との交差部で放電が発生し、対応する放電セルＣ１ｋの維持電極ＳＵ１と走査電極ＳＣ１との間の放電に進展する。そして、放電セルＣ１ｋの走査電極ＳＣ１上部に正電圧が蓄積され、維持電極ＳＵ１上部に負電圧が蓄積され、１行目の書込み動作が終了する。
【００３６】
次に、２行目の走査電極ＳＣ２にパルス幅Ｔｗ１の走査パルス電圧Ｖａが印加される。このとき同時に、データ電極Ｄ１〜Ｄｍのうち２行目に表示すべき画像信号に対応するデータ電極Ｄｋに正の書込みパルス電圧Ｖｄが印加される。すると、データ電極Ｄｋと走査電極ＳＣ２との交差部で放電が発生し、対応する放電セルＣ２ｋの維持電極ＳＵ２と走査電極ＳＣ２との間の放電に進展する。そして、放電セルＣ２ｋの走査電極ＳＣ２上部に正電圧が蓄積され、維持電極ＳＵ２上部に負電圧が蓄積され、２行目の書込み動作が終了する。
【００３７】
以下同様の書込み動作をｎ行目の放電セルＣｎｋに至るまで行われ、書込み動作が終了する。
【００３８】
維持期間においては、走査電極ＳＣ１〜ＳＣｎおよび維持電極ＳＵ１〜ＳＵｎは０（Ｖ）に一旦戻される。その後、走査電極ＳＣ１〜ＳＣｎに正の維持パルス電圧Ｖｓが印加され、書込み放電を起こした放電セルＣｉｊにおける走査電極ＳＣｉ上部と維持電極ＳＵｉ上部との間の電圧は、維持パルス電圧Ｖｓに加える。そのため、書込み期間において走査電極ＳＣｉ上部および維持電極ＳＵｉ上部に蓄積された壁電圧が加算されるので放電開始電圧を超え維持放電が発生する。以降同様に、走査電極ＳＣ１〜ＳＣｎと維持電極ＳＵ１〜ＳＵｎとに維持パルスを交互に印加することにより、書込み放電を発生した放電セルＣｉｊに対して維持パルスの回数だけ維持放電が継続して行われる。
【００３９】
続いて全セル初期化フィールドの選択初期化サブフィールドの駆動電圧波形とその動作について図４の第２サブフィールドで説明する。
【００４０】
初期化期間では、維持電極ＳＵ１〜ＳＵｎは正電圧Ｖｅに保たれ、走査電極ＳＣ１〜ＳＣｎには、電圧Ｖｉ４に向かって緩やかに下降する傾斜波形電圧が印加される。この間に、維持放電を発生した放電セルＣｉｊに対して選択的に走査電極ＳＣｉと維持電極ＳＵｉ、走査電極ＳＣｉとデータ電極Ｄｊとの間でそれぞれ微弱な初期化放電が起こる。そして、走査電極ＳＣｉ上部の負の壁電圧および維持電極ＳＵｉ上部の正の壁電圧が弱められ、データ電極Ｄｊ上部の正の壁電圧は書き込み動作に適した値に調整される。一方、直前のサブフィールドで書込み放電および維持放電を行わなかった放電セルは、初期化期間の間放電することはなく、前のサブフィールドの初期化期間終了時における壁電荷状態がそのまま保たれる。
【００４１】
このように、選択初期化サブフィールドの初期化動作は直前のサブフィールドで維持放電を行った放電セルにおいて初期化放電させる選択初期化動作であり、維持放電を行わなかった放電セルではプライミングが発生しない。
【００４２】
書込み期間および維持期間については、全セル初期化サブフィールドの書込み期間および維持期間と同様であるため説明を省略する。
【００４３】
次に選択初期化フィールドの駆動電圧波形とその動作について図５を用いて説明する。
【００４４】
選択初期化フィールドは、全セル初期化サブフィールドを持たず、前述した選択初期化サブフィールドのみで構成されたフィールドである。初期化期間、書込み期間、維持期間における基本的な動作は、全セル初期化フィールドにおける選択初期化サブフィールドと同様であるため説明を省略する。そうして、ここでは全セル初期化フィールドにおける選択初期化サブフィールドと異なる部分についてのみ説明する。
【００４５】
選択初期化フィールドでは、少なくとも１つのサブフィールド（図５では第１サブフィールドのみを対象のサブフィールドとしている）における走査パルス幅を、全セル初期化フィールドにおける走査パルス幅Ｔｗ１よりも大きいＴｗ２に延伸して印加される。
【００４６】
選択初期化フィールドにおける走査パルス幅Ｔｗ２は、全セル初期化サブフィールドがないことによる放電遅れの増加を十分補償できるよう十分大きく設定されているため、書込み放電は安定的に発生し、不灯は発生しない。
【００４７】
そして、本発明の実施の形態１においては、上記のような全セル初期化フィールドと選択初期化フィールドを１：Ｎ（但し、Ｎは１以上の整数とする）の比率で備える。
【００４８】
なお、Ｎは「選択初期化フィールドの挿入比率」と呼称し、１つの全セル初期化フィールドを先頭として（Ｎ＋１）フィールドを１サイクルとすると、先頭の全セル初期化フィールドに続く選択初期化フィールドの数を示すものとする。
【００４９】
選択初期化フィールド中は、黒表示の放電セルに対しては放電が一切発生しない。そのため、本発明の実施の形態において、黒表示の放電セルに対して発生する発光は、全セル初期化フィールドにおける全セル初期化動作時の微弱発光のみとなる。これにより、毎フィールド全セル初期化動作を行っていた従来の駆動方式と比較して、画像のコントラストが向上されるとともに、黒表示時の輝度（以下、「黒輝度」と略記する）が十分に低減される。図６に具体的な実施例を示す。
【００５０】
図６は、挿入比率Ｎが１から３の場合の例を示しており、第１の例６１０はＮ＝１の場合を、第２の例６２０はＮ＝２の場合を、第３の例６３０はＮ＝３の場合をそれぞれ示している。例えば、選択初期化フィールドの挿入比率Ｎ＝１とした場合（第１の例６１０の場合）は、図６に示したように、全セル初期化フィールドと選択初期化フィールドの駆動波形が１フィールド毎に交互にパネルに印加される。この場合、毎フィールドで全セル初期化動作を行う従来の駆動方式と比較して、２フィールド当りの平均の黒輝度を、１／２にすることが出来る。
【００５１】
同様に、選択初期化フィールドの挿入比率Ｎ＝２とした場合（第２の例６２０の場合）は、全セル初期化フィールドの駆動波形が１フィールド印加され、続けて選択初期化フィールドの駆動波形が２フィールド連続して印加される。そうして、これらの動作が繰り返される。この場合では、３フィールド当りの平均の黒輝度を、１／３にすることができ、更に黒輝度を下げることが出来る。
【００５２】
このようにして、本発明の実施の形態においては、選択初期化フィールドの挿入比率Ｎの値を任意に設定することにより、必要に応じ、自由に黒輝度を調節することができる。
【００５３】
次に、選択初期化フィールドにおいて走査パルス幅の延伸を行うサブフィールドの決定方法について説明する。
【００５４】
選択初期化フィールドにおいて走査パルス幅の延伸を行うサブフィールドは、選択初期化フィールドの挿入比率Ｎ、全セル初期化動作の挿入サブフィールド、点灯サブフィールドの組み合わせなどによって異なる。
【００５５】
全セル初期化動作では放電セルには初期化期間において必ず放電が発生する、つまりプライミングが発生する。そのため、全セル初期化動作から次の全セル初期化動作までに存在するサブフィールドは全て、先の全セル初期化動作によるプライミングの影響を受ける。よって、選択初期化フィールドでは、全セル初期化動作によるプライミングの影響を受けていたサブフィールド全てが走査パルス幅の延伸対象となる。
【００５６】
例えば、選択初期化フィールドの挿入比率Ｎ＝１（第１の例６１０の場合）として、全セル初期化フィールドの全セル初期化サブフィールドが第１サブフィールドのみである場合を考える。この場合は、全セル初期化フィールドの第１サブフィールドから最終サブフィールドまでの全サブフィールドが、第１サブフィールドの全セル初期化動作によるプライミングの影響を受けている。そのため、選択初期化フィールドでは、全てのサブフィールドにおいて、全セル初期化フィールド時よりも放電遅れが増大し、書込み放電が不安定になる。そのため、この場合は選択初期化フィールドの全サブフィールドが走査パルス幅延伸の対象となる。
【００５７】
同様にして、選択初期化フィールドの挿入比率Ｎ＝１で、全セル初期化フィールドの全セル初期化サブフィールドが第４サブフィールドのみである場合には、選択初期化フィールドの第４サブフィールド以降のサブフィールドが走査パルス幅延伸の対象となる。
【００５８】
また、選択初期化フィールドの挿入比率Ｎ＝２（第２の例６２０の場合）で、全セル初期化フィールドの全セル初期化サブフィールドが第４サブフィールドのみである場合について説明する。この場合には、全セル初期化フィールドに続く１つ目の選択初期化フィールドでは第４サブフィールド以降のサブフィールドが、１つ目の選択初期化フィールドに続く２つ目の選択初期化フィールドでは全サブフィールドが、走査パルス幅延伸の対象となる。
【００５９】
しかし、ここで選択初期化フィールドにおいて書込み放電が不安定となるサブフィールド全てに対し、走査パルス幅の延伸を行うことは、駆動時間の大幅な増加を招き、好ましくない。
【００６０】
そこで、本発明の実施の形態１から３においては、階調表示を行うために発光させるサブフィールドの組み合わせ方法（以下、「コーディング」と略記する）を考慮した上で、走査パルス幅延伸の対象サブフィールドを限定し、駆動時間の増加を軽減することが望ましい。
【００６１】
例えば、全セル初期化サブフィールドが全セル初期化フィールドの第１サブフィールドのみである場合に、０階調を除く全ての階調表示時には必ず第１サブフィールドを点灯させるコーディングを用いる場合には、走査パルス幅延伸の対象サブフィールドは第１サブフィールドのみに限定される。
【００６２】
これは、選択初期化フィールドにおける第１サブフィールドの書込み放電さえ確実に行うことが出来れば、第１サブフィールドの維持放電により発生したプライミングによって、放電遅れが小さくなる。そのため、その後のサブフィールドでは走査パルス幅の延伸なくしても、書込み放電が安定的に発生するためである。
【００６３】
同様にして、全セル初期化サブフィールドが第１サブフィールドのみであり、０階調を除く全ての階調表示時には、第１もしくは第２サブフィールドを点灯させるコーディングを用いる場合には、走査パルス幅の延伸対象サブフィールドは第１、第２サブフィールドのみに限定される。
【００６４】
次に、本発明の実施の形態において、選択初期化フィールドにおける走査パルス幅延伸量を決定する方法、および選択初期化フィールドの挿入比率Ｎに応じ、選択初期化フィールドにおける走査パルス幅延伸量を制御する理由について説明する。
【００６５】
図７は、放電終了時から書込み放電を行うまでの経過時間（以下、「放電休止時間」と略記する）に対して、安定な書込み放電に必要な走査パルス幅の変化を示す。図７において、横軸は放電休止時間（単位はｍｓ）を示し、縦軸は安定な書込み放電に必要な走査パルス幅（単位はμｓ）を示す。放電直後は放電により発生したプライミングにより、放電遅れは小さく、安定な書込み放電に必要な走査パルス幅も小さい。しかし、放電休止時間の増加に伴い、放電セル内のプライミングが減少し、放電遅れが増大するため、安定な書込み放電に必要な走査パルス幅は増大していく。
【００６６】
選択初期化フィールドにおける走査パルス幅の延伸対象サブフィールドでは、全セル初期化フィールド時よりもこの放電休止時間が大きくなる場合が発生する。そのために、全セル初期化フィールドにおける走査パルス幅Ｔｗ１では走査パルス幅が不足し、不灯が発生する。
【００６７】
したがって、選択初期化フィールドにおける走査パルス幅Ｔｗ２は、走査パルス幅の延伸対象サブフィールドにおいて取りうる放電休止時間のうち、これが最大となる場合を想定し、決定する必要がある。
【００６８】
放電休止時間は、放電セル内で放電が発生するたびに０に戻るため、放電休止時間が最大となるのは、全セル初期化動作から走査パルス幅の延伸対象サブフィールドまでの間に一度も放電が発生しない場合となる。
【００６９】
この取りうる最大の放電休止時間（以下、「最大放電休止時間」と略記する）から、安定な書込み放電に必要な走査パルス幅を算出し、選択初期化フィールドにおける走査パルス幅Ｔｗ２が決定される。
【００７０】
また、選択初期化フィールドの挿入比率Ｎが２以上の場合は、連続する選択初期化フィールドの中でも時間的に後ろに位置するフィールドの方が最大放電休止時間が大きくなる。そのため、時間的に後ろに位置する選択初期化フィールドにおける走査パルス幅Ｔｗ２は、時間的に前に位置する選択初期化フィールドの走査パルス幅Ｔｗ２よりも大きくなるように設定される。
【００７１】
例えば、全セル初期化サブフィールドが第１サブフィールドのみの従来の駆動方式に対し、選択初期化フィールドの挿入比率Ｎ＝１として本発明を実施し、選択初期化フィールドにおける第１サブフィールドの走査パルス幅Ｔｗ２を決定する場合を例に挙げてみる。この場合は、選択初期化フィールドの第１サブフィールドにおける最大放電休止時間は、約１フィールド分であり、フィールド周波数が６０Ｈｚであるとすると、約１６．７ｍｓになる。
【００７２】
よって、選択初期化フィールドにおける第１サブフィールドの走査パルス幅Ｔｗ２は、図７中の放電休止時間１６．７ｍｓにおける値から１．０５μｓ以上のパルス幅となるよう設定される。
【００７３】
また、前述の例において、選択初期化フィールドの挿入比率Ｎ＝２とした場合を考えてみる。この場合は、全セル初期化フィールドに続く１つ目の選択初期化フィールドにおける第１サブフィールドの走査パルス幅Ｔｗ２は、選択初期化フィールドの挿入比率Ｎ＝１とした場合と同様の考え方から１．０５μｓ以上に設定される。一方、続く２つ目の選択初期化フィールドにおける第１サブフィールドの走査パルス幅Ｔｗ２は、最大放電休止時間が、約２フィールド分（３３．４ｍｓ）となる。このことから、走査パルス幅Ｔｗ２は、１つ目の選択初期化フィールドにおける第１サブフィールドの走査パルス幅よりも更に延伸し、１．７μｓ以上となるよう設定される。
【００７４】
このように、選択初期化フィールドにおける第１サブフィールドの走査パルス幅Ｔｗ２は、選択初期化フィールドの挿入比率Ｎに応じ、選択初期化フィールドの時間的位置においても異なっている。
【００７５】
（実施の形態２）
次に、パネル温度によって放電特性が変化する影響を考慮して、パネル温度によらず上述した駆動制御を最適な条件で行うことができる実施の形態について説明する。
【００７６】
図８は、本発明の実施の形態２におけるプラズマディスプレイ装置８００の回路ブロック図である。実施の形態２におけるパネルの構造、駆動電圧波形の概要等は実施の形態１と同様である。実施の形態２が実施の形態１と異なる点は、プラズマディスプレイ装置８００はパネル温度を検出する温度検出器１７を備え、選択初期化フィールドの挿入比率Ｎを温度検出器が検出するパネル温度に応じて設定している点である。
【００７７】
図８のプラズマディスプレイ装置８００において、図３のプラズマディスプレイ装置３００と同じ参照番号を付されている箇所はプラズマディスプレイ装置３００と同様である。なお、タイミング発生回路１５は温度検出器１７からの信号も受けて動作する。したがって、温度検出器１７および温度検出器１７に関係する箇所を中心に説明する。温度検出器１７は、パネル温度を計測してタイミング発生回路１５に出力する。タイミング発生回路１５は、温度検出器１７から出力されるパネル温度にもとづき、パネル温度が高いときほど選択初期化フィールドの挿入比率Ｎが大きくなるように設定した上で、パネル１を駆動するための各種のタイミング信号を生成する。そうして、タイミング発生回路１５は、各種のタイミング信号をそれぞれの回路ブロックへ出力する。その他の回路ブロックについては実施の形態１で説明したプラズマディスプレイ装置３００と同様である。
【００７８】
次に本発明の実施の形態２において、選択初期化フィールドの挿入比率Ｎをパネル温度によって制御する理由について説明する。
【００７９】
一般的にプラズマディスプレイでは、パネル温度によって放電開始電圧が変化し、放電開始電圧の変化に伴い、放電遅れも変化する。図９は、各パネル温度において、放電休止時間に対する安定な書込み放電に必要な走査パルス幅の変化を示す。
【００８０】
図９において、横軸は放電休止時間（単位はｍｓ）を示し、縦軸は書込みに必要な走査パルス幅（単位はμｓ）を示している。曲線９０１はパネル温度が約０度の場合、曲線９０２はパネル温度が約３０度の場合、曲線９０３はパネル温度が約５０度の場合をそれぞれ示している。パネル温度が高温になればなるほど、放電遅れは減少するため、安定な書込み放電に必要な走査パルス幅は小さくなる。このため、同じ走査パルス幅においては、パネル温度が高い場合は、パネル温度が低い場合と比較してより大きな放電休止時間となる場合においても不灯が発生しない。この特性を利用し、本発明の実施の形態２では、パネル温度が高温になればなるほど、選択初期化フィールドの挿入比率Ｎが増加され、黒輝度の低減が行なわれる。
【００８１】
図９の特性を持つパネル１に対して、実施の形態２においては、全セル初期化フィールドの全セル初期化サブフィールドが第１サブフィールドのみ、この第１サブフィールドの走査パルス幅が１μｓとし、０階調を除く全階調表示時には必ず第１サブフィールドが点灯するコーディングを用い、選択初期化フィールドの第１サブフィールドの走査パルス幅を１．３μｓに延伸する。それとともに、パネル温度が５０℃未満の領域では選択初期化フィールドの挿入比率Ｎ＝１と設定し、５０℃以上の領域では、Ｎ＝２と設定する。
【００８２】
これにより、パネル温度が５０℃未満の領域では、安定した書込み動作により放電セルの不灯をなくすことができる。それとともに、毎フィールド全セル初期化動作を行う従来の駆動方式に対して１／２となる黒輝度を実現でき、５０℃以上の領域では、更に黒輝度を落とし、従来の駆動方式に対して１／３となる黒輝度を実現できる。
【００８３】
このように、実施の形態２においては、パネル温度の増減によって変化する放電特性に応じ、選択初期化フィールドの挿入比率Ｎを変化させることで安定した書込み放電を実現する。これにより、どのパネル温度においても、安定した書込み動作と高コントラストな画像表示の両立が可能となる。
【００８４】
（実施の形態３）
次に、実施の形態３について説明する。図１０は、実施の形態３におけるプラズマディスプレイ装置１０００の回路ブロック図である。実施の形態３におけるパネル１の構造、駆動電圧波形の概要等は実施の形態１と同様である。実施の形態３でのプラズマディスプレイ装置１０００が実施の形態１でのプラズマディスプレイ装置３００と異なる点は、プラズマディスプレイ装置１０００に表示すべき画像のＡＰＬ（平均輝度レベル）を検出するＡＰＬ検出器１８を備え、選択初期化フィールドの挿入比率ＮをＡＰＬ検出器１８が検出するＡＰＬに応じて設定している点である。
【００８５】
図１０のプラズマディスプレイ装置１０００において、図３のプラズマディスプレイ装置３００と同じ参照番号を付されている箇所はプラズマディスプレイ装置３００と同様である。なお、タイミング発生回路１５はＡＰＬ検出器１８からの信号も受けて動作する。したがって、ＡＰＬ検出器１８およびＡＰＬ検出器１８に関係する箇所を中心に説明する。ＡＰＬ検出器１８は、表示すべき映像信号ＳｉｇのＡＰＬを検出し、その値をタイミング発生回路１５に出力する。タイミング発生回路１５は、ＡＰＬ検出器１８から出力されるＡＰＬにもとづき、ＡＰＬが低いときほど選択初期化フィールドの挿入比率Ｎが大きくなるように設定した上で、パネル１を駆動するための各種のタイミング信号を生成する。そうして、タイミング発生回路１５は、生成した各種のタイミング信号をそれぞれの回路ブロックへ出力する。プラズマディスプレイ装置１０００のその他の回路ブロックについては実施の形態１のプラズマディスプレイ装置３００と同様である。
【００８６】
次に本発明の実施の形態３において、選択初期化フィールドの挿入比率ＮをＡＰＬによって制御する理由について説明する。
【００８７】
図１１は、各ＡＰＬにおいて、放電休止時間に対する安定な書込み放電に必要な走査パルス幅の変化を示す。図１１において、横軸は放電休止時間（単位はｍＳ）を示し、縦軸１１２０は書込みに必要な走査パルス幅（単位はμＳ）を示している。曲線１１０１はＡＰＬが１００パーセントの場合、曲線１１０２はＡＰＬが５０パーセントの場合、曲線１１０３はＡＰＬが１８パーセントの場合、曲線１１０４はＡＰＬが１.５パーセントの場合をそれぞれ示している。図１１から分かるように、ＡＰＬが高くなると安定な書込み放電に必要な走査パルス幅は増加する。これには、以下のような理由が考えられる。
【００８８】
一般的にＡＰＬの高い画像表示時には、画像表示領域において点灯する部分の占める割合が多くなるため、書込み放電を行う放電セルの割合が増加し、書込み放電時に発生する放電電流も増加する。電極を駆動する回路および各電極はインピーダンスを有しているため、放電電流が増加するとそれに伴い電圧降下が生じる。この電圧降下により各放電セルへの印加電圧が低下し、放電遅れが増加する。このため、その放電遅れの増加を補償するために、書込み放電に必要な走査パルス幅が大きくなる。
【００８９】
このため、ＡＰＬが高い場合と低い場合を比較すると、同じ走査パルス幅においては、ＡＰＬが低い場合の方が、より大きな放電休止時間となる場合においても不灯が発生しなくなる。この特性を利用し、本発明の実施の形態３では、ＡＰＬが低くなればなるほど、選択初期化フィールドの挿入比率Ｎを増加させ、黒輝度の低減を行う。
【００９０】
図１１の特性を持つパネルに対して、実施の形態３においては、全セル初期化フィールドの全セル初期化サブフィールドが第１サブフィールドのみ、この第１サブフィールドの走査パルス幅が１μｓとし、０階調を除く全階調表示時には必ず第１サブフィールドが点灯するコーディングを用い、選択初期化フィールドの第１サブフィールドの走査パルス幅を１．３μｓに延伸する。そうして、ＡＰＬが１８パーセント以上の領域では選択初期化フィールドの挿入比率Ｎ＝１と設定し、１８パーセント未満の領域では、Ｎ＝２に設定される。
【００９１】
これにより、ＡＰＬが１８パーセント以上の領域では、毎フィールド全セル初期化動作を行う従来の駆動方式に対して１／２となる黒輝度を実現でき、１８％未満の領域では、更に黒輝度を落とし、従来の駆動方式に対して１／３となる黒輝度を実現できる。
【００９２】
このように、本発明の実施の形態３は、ＡＰＬの増減による各放電セルへの印加電圧の変化に対しても、選択初期化フィールドの挿入比率Ｎを変化させることで安定した書込み放電を実現する。これにより、どのＡＰＬにおいても、安定した書込み動作と高コントラストな画像表示の両立が可能となる。
【００９３】
なお、本発明の実施の形態において用いた具体的な各数値は、単に一例を挙げたに過ぎない。従って、本実施の形態は何らこれらの数値に限定されるものではなく、パネルや駆動回路の特性等に応じ、適宜最適な値に設定することが望ましい。
【００９４】
また、本実施の形態では全セル初期化動作は第１サブフィールドに挿入しているが、本発明は全セル初期化動作がいずれの複数サブフィールドにあってもよい。
【００９５】
以上の説明から明らかな通り、本発明によれば、全セルフィールドと選択フィールドを特定の割合で設けてプラズマディスプレイ装置を駆動するに際し、選択初期化フィールドにおける書込み放電を安定化することが可能となり、コントラスト比が高く、かつ良好な品質で画像表示させることが可能となる。
【産業上の利用可能性】
【００９６】
本発明のパネルの駆動方法は、全セル初期化動作を行わないがために書込み放電が不安定となるフィールドにおいても、走査パルス幅を延伸することにより、それらを補償し、安定的な書込み動作が可能となる。この安定した書込み動作により放電セルの不灯をなくし、コントラスト比が高く、良好な品質で画像表示させることができるので、プラズマディスプレイパネルの駆動方法として有用である。
【符号の説明】
【００９７】
１    パネル
２    前面基板
３    背面基板
４    走査電極
５    維持電極
６    誘電体層
７    保護層
８    誘電体層
９    データ電極
１０    隔壁
１１    蛍光体層
１２    データ電極駆動回路
１３    走査電極駆動回路
１４    維持電極駆動回路
１５    タイミング発生回路
１６    画像信号処理回路
１７    温度検出器
１８    ＡＰＬ検出器
３００    プラズマディスプレイ装置
８００    プラズマディスプレイ装置
１０００    プラズマディスプレイ装置
【手続補正２】
【補正対象書類名】特許請求の範囲
【補正対象項目名】全文
【補正方法】変更
【補正の内容】
【特許請求の範囲】
【請求項１】
走査電極および維持電極とデータ電極との交差部に放電セルを形成したプラズマディスプレイパネルの駆動方法であって、
１フィールド期間は、前記放電セルに初期化放電を発生させる初期化期間と、前記放電セルに書込み放電を発生させるために前記走査電極に走査パルスを印加する書込み期間と、前記放電セルに所定の輝度重みで発光させるための維持放電を発生させる維持期間とをそれぞれ有する複数のサブフィールドから構成され、
前記複数のサブフィールドのそれぞれの初期化期間は、画像表示を行う全ての放電セルに対して初期化放電を発生させる全セル初期化動作、または直前のサブフィールドにおいて維持放電を発生した放電セルに対して選択的に初期化放電を発生させる選択初期化動作のいずれかの動作を行い、
前記全セル初期化動作を有するサブフィールドを少なくとも１つ有するフィールドを全セル初期化フィールドとし、前記選択初期化動作のサブフィールドのみで構成されたフィールドを選択初期化フィールドとし、
前記全セル初期化フィールドと前記選択初期化フィールドを１：Ｎ（但し、Ｎは１以上の整数とする）の比率で備えるとともに、少なくとも１つのサブフィールドにおいて、前記Ｎに応じて前記選択初期化フィールドの前記走査パルスの幅を延伸するプラズマディスプレイパネルの駆動方法。
【請求項２】
パネル温度を検出し、
前記Ｎを検出された前記パネル温度に応じて設定する
請求項１記載のプラズマディスプレイパネルの駆動方法。
【請求項３】
表示すべき画像のＡＰＬ（平均輝度レベル）を検出し、
前記Ｎを検出された前記ＡＰＬに応じて設定する
請求項１記載のプラズマディスプレイパネルの駆動方法。
【請求項４】
前記Ｎは１である請求項１記載のプラズマディスプレイパネルの駆動方法。
【請求項５】
前記全セル初期化フィールドにおいて全セル初期化動作を行うサブフィールドが、全サブフィールドの中で１つのサブフィールドのみである請求項１から請求項３のいずれか１つに記載のプラズマディスプレイパネルの駆動方法。
【請求項６】
前記全セル初期化フィールドにおいて全セル初期化動作を行うサブフィールドが、全サブフィールドの中で維持期間の輝度重みが最小となるサブフィールドのみである請求項１から請求項３のいずれか１つに記載のプラズマディスプレイパネルの駆動方法。
【請求項７】
走査電極および維持電極とデータ電極との交差部に放電セルを形成したプラズマディスプレイパネルの表示装置であって、
１フィールド期間は、前記放電セルに初期化放電を発生させる初期化期間と、前記放電セルに書込み放電を発生させるために前記走査電極に走査パルスを印加する書込み期間と、前記放電セルに所定の輝度重みで発光させるための維持放電を発生させる維持期間とをそれぞれ有する複数のサブフィールドから構成され、
前記複数のサブフィールドのそれぞれの初期化期間は、画像表示を行う全ての放電セルに対して初期化放電を発生させる全セル初期化動作、または直前のサブフィールドにおいて維持放電を発生した放電セルに対して選択的に初期化放電を発生させる選択初期化動作のいずれかの動作を行い、
前記全セル初期化動作を有するサブフィールドを少なくとも１つ有するフィールドを全セル初期化フィールドとし、前記選択初期化動作のサブフィールドのみで構成されたフィールドを選択初期化フィールドとし、
前記全セル初期化フィールドと前記選択初期化フィールドを１：Ｎ（但し、Ｎは１以上の整数とする）の比率で備えるとともに、少なくとも１つのサブフィールドにおいて、前記Ｎに応じて前記選択初期化フィールドにおける前記走査パルス幅を延伸するプラズマディスプレイ装置。
【手続補正３】
【補正対象書類名】図面
【補正対象項目名】全図
【補正方法】変更
【補正の内容】
【図１】
2009101784.tif 000014
【図２】
2009101784.tif 000015
【図３】
2009101784.tif 000016
【図４】
2009101784.tif 000017
【図５】
2009101784.tif 000018
【図６】
2009101784.tif 000019
【図７】
2009101784.tif 000020
【図８】
2009101784.tif 000021
【図９】
2009101784.tif 000022
【図１０】
2009101784.tif 000023
【図１１】
2009101784.tif 000024
【国際調査報告】
2009101784.tif 000025
2009101784.tif 000026
2009101784.tif 000027
2009101784.tif 000028